(57)【要約】      （修正有）【課題】占有体積を小さくすることができ、水などの内容物を収容した状態が安定しているバケツを提供する。【解決手段】バケツ１は、非可撓性の材料で形成され、底部から開口端に向かって拡径した有底円筒体１０と、開口端の外周縁に取り付けられた円環状のシール材と、非可撓性の材料で下端２２から上端に向かって拡径する円筒状に形成され、下端２２の内周円が有底円筒体の開口端の外周円より小径であると共に、上端の内周円が有底円筒体の開口端の外周円より大径である第一円筒体２０とを具備する。【選択図】図１
0003165403.tif 000002
【実用新案登録請求の範囲】
【請求項１】
非可撓性の材料で形成され、底部から開口端に向かって拡径した有底円筒体と、
前記開口端の外周縁に取り付けられた円環状のシール材と、
非可撓性の材料で、下端から上端に向かって拡径する円筒状に形成され、前記下端の内周円が前記開口端の外周円より小径であると共に、前記上端の内周円が前記開口端の外周円より大径である第一円筒体と
を具備することを特徴とするバケツ。
【請求項２】
前記第一円筒体の外周縁に取り付けられた円環状の第二シール材と、
非可撓性の材料で、下端から上端に向かって拡径する円筒状に形成された第二円筒体とを更に具備し、
該第二円筒体の下端の内周円は前記第一円筒体の上端の外周円より小径であると共に、前記第二円筒体の上端の内周円は前記第一円筒体の上端の外周円より大径である
ことを特徴とする請求項１に記載のバケツ。
【請求項３】
非可撓性の材料で形成され、底部から開口端に向かって拡径した有底円筒体と、
非可撓性の材料で、下端から上端に向かって拡径する円筒状に形成された複数の円筒体からなる円筒体セットであって、１番目の前記円筒体である第一円筒体の下端の内周円は前記開口端の外周円より小径であると共に、前記第一円筒体の上端の内周円は前記開口端の外周円より大径であり、Ｎ番目の前記円筒体である第Ｎ円筒体の下端の内周円は、Ｎ−１番目の前記円筒体である第Ｎ−１円筒体の上端の外周円より小径であると共に、前記第Ｎ円筒体の上端の内周円は前記第Ｎ−１円筒体の上端の外周円より大径である円筒体セットと、
前記有底円筒体及び前記円筒体セットを、前記複数の円筒体を前記有底円筒体の側面の周囲に重畳させた状態で収容するケースと
を具備することを特徴とするバケツ。
【考案の詳細な説明】
【技術分野】
【０００１】
本考案は、占有体積を小さくすることが可能なバケツに関するものである。
【背景技術】
【０００２】
従前より、占有体積を小さくすることが可能なバケツとして、側面をジャバラ状としたバケツや、側面を可撓性の部材で形成し開口縁をリング状の硬質部材に支持させたバケツ（特許文献１参照）が、種々提案され実施されている。これらのバケツは、側面を引き広げた状態で水などを収容させる一方、不使用時には側面を折りたたむことにより、バケツ全体の占有体積を小さくすることができる。そのため、運搬や保管の際にスペースをとらないという利点があり、例えば、キャンプや釣りなどのアウトドア用品や、災害などの非常時に備える用品として使用されている。
【考案の概要】
【考案が解決しようとする課題】
【０００３】
しかしながら、上記の従来のバケツでは、水などを収容した使用時に、側面が意図せず折りたたまれてしまうおそれがある。また、ジャバラ状の側面は振動しやすく、可撓性の部材で形成された側面は変形しやすい。そのため、上記の従来のバケツでは、水などの内容物を収容した状態が不安定であるという問題があった。
【０００４】
そこで、本考案は上記の実情に鑑み、占有体積を小さくすることができ、水などの内容物を収容した状態が安定しているバケツの提供を課題とするものである。
【課題を解決するための手段】
【０００５】
上記課題を解決するため、本考案にかかるバケツは、「非可撓性の材料で形成され、底部から開口端に向かって拡径した有底円筒体と、前記開口端の外周縁に取り付けられた円環状のシール材と、非可撓性の材料で、下端から上端に向かって拡径する円筒状に形成され、前記下端の内周円が前記開口端の外周円より小径であると共に、前記上端の内周円が前記開口端の外周円より大径である第一円筒体とを具備する」ものである。
【０００６】
「上端」における「上」、及び、「下端」における「下」は、それぞれ、本考案のバケツが水などの内容物を収容させ得る状態にあるときの「上」、及び「下」を指している。
【０００７】
上記構成により、「有底円筒体」及び「第一円筒体」が樹脂や金属など非可撓性の材料で形成されていても、不使用時には占有体積を小さくすることが可能であり、使用時には非可撓性の材料で形成された、変形しない容器として、水などを安定して収容することができる。すなわち、第一円筒体の上端は有底円筒体の開口端の外周円より大径であるため、有底円筒体を囲むように、第一円筒体と有底円筒体の側面とを重畳させることができ、占有体積を小さくすることができる。例えば、第一円筒体の高さを有底円筒体の高さと同程度とすれば、不使用時の占有体積を、有底円筒体の占有体積より僅かに大きいものに抑えることができる。
【０００８】
一方、第一円筒体で有底円筒体を囲む状態で、第一円筒体を有底円筒体に対して引き上げれば、第一円筒体の下端の内周円は有底円筒体の開口端の外周円より小径であるため、第一円筒体の下端は有底円筒体の開口端に外嵌した状態となる。これにより、全体としての高さは、有底円筒体の高さより高いものとなり、容量の大きな容器となる。このとき、有底円筒体の開口端の外周縁に取り付けられた円環状のシール材が、有底円筒体と第一円筒体との間に介装されるため、両者の嵌合状態が安定的に保持される。これにより、水など内容物を収容した使用時に、意図せず、第一円筒体がずり下がったり落下したりするおそれが低減される。加えて、シール材によって、有底円筒体と第一円筒体との間から水などの液体が漏出することが、抑制される。
【０００９】
更に、本考案のバケツでは、第一円筒体を有底円筒体の底部側から引き抜くような相対的な動きによって、第一円筒体と有底円筒体とを分離させることができる。これにより、有底円筒体を、単体で容器として使用することもできる。
【００１０】
本考案にかかるバケツは、上記構成に加え、「前記第一円筒体の外周縁に取り付けられた円環状の第二シール材と、非可撓性の材料で、下端から上端に向かって拡径する円筒状に形成された第二円筒体とを更に具備し、該第二円筒体の下端の内周円は前記第一円筒体の上端の外周円より小径であると共に、前記第二円筒体の上端の内周円は前記第一円筒体の上端の外周円より大径である」ものとすることができる。
【００１１】
上記構成により、使用時には、下端を有底円筒体の開口端に外嵌させた第一円筒体の上端に、更に、第二円筒体の下端を外嵌させた状態とし、より大容量の容器とすることができる。すなわち、第二円筒体の下端の内周円は第一円筒体の上端の外周円より小径であるため、第一円筒体に対して第二円筒体を引き上げれば、第二円筒体の下端は第一円筒体の上端に外嵌した状態となる。このとき、第一円筒体の外周縁に取り付けられた円環状の第二シール材が、第一円筒体と第二円筒体との間に介装されるため、両者の嵌合状態が安定的に保持されると共に、水密性が担保される。
【００１２】
一方、第二円筒体の上端の内周円は第一円筒体の上端の外周円より大径であるため、不使用時には、有底円筒体を囲むように有底円筒体の側面と重畳させた第一円筒体を、更に囲むように第二円筒体を重畳させて、バケツ全体の占有体積を小さくすることができる。
【００１３】
なお、上記構成に加え、更に第三円筒体を備える構成とし、第二円筒体に対する第三円筒体の関係を、第一円筒体に対する第二円筒体の関係と同様の関係としても良い。このような構成とすることにより、使用時には、下端を第一円筒体の上端に外嵌させた第二円筒体の上端に、更に第三円筒体の下端を外嵌させた状態とし、より大容量の容器とすることができる。また、不使用時には、有底円筒体を囲むように有底円筒体の側面と重畳させた第一円筒体及び第二円筒体を、更に囲むように第三円筒体を重畳させて、バケツ全体の占有体積を小さくすることができる。
【００１４】
次に、本考案のバケツは、「非可撓性の材料で形成され、底部から開口端に向かって拡径した有底円筒体と、非可撓性の材料で、下端から上端に向かって拡径する円筒状に形成された複数の円筒体からなる円筒体セットであって、１番目の前記円筒体である第一円筒体の下端の内周円は前記開口端の外周円より小径であると共に、前記第一円筒体の上端の内周円は前記開口端の外周円より大径であり、Ｎ番目の前記円筒体である第Ｎ円筒体の下端の内周円は、Ｎ−１番目の前記円筒体である第Ｎ−１円筒体の上端の外周円より小径であると共に、前記第Ｎ円筒体の上端の内周円は前記第Ｎ−１円筒体の上端の外周円より大径である円筒体セットと、前記有底円筒体及び前記円筒体セットを、前記複数の円筒体を前記有底円筒体の側面の周囲に重畳させた状態で収容するケースとを具備する」ものとしても良い。
【００１５】
円筒体セットは「複数」の円筒体からなるものであるから、「Ｎ」は２以上の整数である。
【００１６】
上記構成により、使用時には、有底円筒体に対して、複数の円筒体を第一円筒体から順次外嵌させることにより、全体として大容量の容器とすることができる。また、有底円筒体を円筒体セットと分離させ、単体で容器として使用することができる。そして、有底円筒体、及び、複数の円筒体は、非可撓性の材料で形成されているため変形しにくく、水などを安定して収容することができる。
【００１７】
一方、不使用時には、有底円筒体を囲むように、複数の円筒体を有底円筒体の側面と重畳させ、バケツ全体としての占有体積を小さくすることができる。そして、この状態で有底円筒体及び複数の円筒体を収容するケースを備えているため、分離し得る構成である複数の円筒体及び有底円筒体が、運搬しやすいものとなる。また、不使用時にケースに収納しておくことにより、保管している間にバケツに埃などが付着するおそれを、低減することができる。
【考案の効果】
【００１８】
以上のように、本考案によれば、占有体積を小さくすることができ、水などの内容物を収容した状態が安定しているバケツを提供することができる。
【図面の簡単な説明】
【００１９】
【図１】本考案の一実施形態のバケツの斜視図である。
【図２】図１のバケツの分解斜視図である。
【図３】図１のバケツをケースに収納した状態の斜視図である。
【図４】図１のバケツをケースに収納した状態の縦断面図である。
【考案を実施するための形態】
【００２０】
以下、本考案の一実施形態であるバケツ１について、図１乃至図４に基づいて説明する。バケツ１は、非可撓性の材料で形成され、底部１１から開口端１３に向かって拡径した有底円筒体１０と、開口端１３の外周縁に取り付けられた円環状の第一シール材１７と、非可撓性の材料で下端２２から上端２３に向かって拡径する円筒状に形成され、下端２２の内周円が開口端１３の外周円より小径であると共に、上端２３の内周円が開口端１３の外周円より大径である第一円筒体２０と、第一円筒体２０の外周縁に取り付けられた円環状の第二シール材２７と、非可撓性の材料で下端３２から上端３３に向かって拡径する円筒状に形成され、下端３２の内周円が第一円筒体２０の上端２３の外周円より小径であると共に、上端３３の内周円が第一円筒体２０の上端２３の外周円より大径である第二円筒体３０と、第二円筒体３０の外周縁に取り付けられた円環状の第三シール材３７と、非可撓性の材料で下端４２から上端４３に向かって拡径する円筒状に形成され、下端４２の内周円が第二円筒体３０の上端３３の外周円より小径であると共に、上端４３の内周円が第二円筒体３０の上端３３の外周円より大径である第三円筒体４０とを具備している。ここで、本実施形態では、第一円筒体２０、第二円筒体３０、及び、第三円筒体４０が「円筒体セット」を構成している。
【００２１】
また、本実施形態のバケツ１は、第一円筒体２０、第二円筒体３０、及び、第三円筒体４０を有底円筒体１０の側面１５の周囲に重畳させた状態で収容するケース７０を、更に具備している。
【００２２】
より詳細に説明すると、有底円筒体１０、第一円筒体２０、第二円筒体３０、第三円筒体４０、及び、ケース７０は、何れも非可撓性の樹脂で形成されている。ここで、有底円筒体１０の側面１５、第一円筒体２０、第二円筒体３０、及び第三円筒体４０は、略同一の高さに形成されている。また、第一シール材１７、第二シール材２７、及び、第三シール材３７は、ゴム製のＯリングである。なお、第三円筒体４０は、弓なりに湾曲した金属製の取っ手４９を備えている。この取っ手４９は、その両端が、第三円筒体４０の上端の外周縁に対向して穿設された二つの孔部に挿し込まれることにより、第三円筒体４０に取り付けられている。
【００２３】
ケース７０は、深皿型の受け体５０と、深皿を伏せた形状の蓋体６０とからなる。受け体５０の開口端には段部が設けられ、蓋体６０の開口端を内嵌させることができる構成となっている。蓋体６０の中央には、軸棒状のハンドル６５が形成され、ハンドル６５の両側には貫通する孔部６６が設けられている。従って、使用者は、孔部６６に指を挿し入れ、ハンドル６５を握ることができる。
【００２４】
バケツ１の使用時には、図１に示すように、第一円筒体２０の下端２２を有底円筒体１０の開口端１３に外嵌させ、第二円筒体３０の下端３２を第一円筒体２０の上端２３に外嵌させ、更に、第三円筒体４０の下端４２を第二円筒体３０の上端３３に外嵌させることにより、大容量の容器として使用することができる。例えば、バケツ１の容量は、１０リットル〜１５リットルとすることができる。
【００２５】
このとき、有底円筒体１０と第一円筒体２０との間には第一シール材１７が介装され、第一円筒体２０と第二円筒体３０との間には第二シール材２７が介装され、第二円筒体３０と第三円筒体４０との間には第三シール材３７が介装されるため、有底円筒体１０、第一円筒体２０、第二円筒体３０、及び、第三円筒体４０を組み上げて一つの大容量のバケツ１とした状態が、安定的に保持される。加えて、第一シール材１７、第二シール材２７、及び、第三シール材３７によって、バケツ１の水密性が担保される。
【００２６】
また、有底円筒体１０、第一円筒体２０、第二円筒体３０、及び、第三円筒体４０は何れも非可撓性の材料で形成されているため、変形しにくく、水などの内容物を安定して収容することができる。
【００２７】
更に、図２に示すように、第一円筒体２０、第二円筒体３０、及び、第三円筒体４０を、それぞれ有底円筒体１０の底部１１側に相対的に移動させることにより、それぞれを引き抜くように有底円筒体１０と分離することができる。これにより、有底円筒体１０を、単体で容器として使用することができる。また、有底円筒体１０と第一円筒体２０のみで容器として使用することや、有底円筒体１０、第一円筒体２０、及び、第二円筒体３０のみで容器として使用することも可能である。
【００２８】
なお、使用時に、有底円筒体１０の下に受け体５０を敷いておけば、水などの飛沫を受け体５０で受けることができるため、バケツ１の周囲が濡れることを抑制することができる。
【００２９】
不使用時には、図４に示すように、有底円筒体１０を囲むように、第一円筒体２０、第二円筒体３０、第三円筒体４０の順に、有底円筒体１０の側面１５に重畳させることにより、全体としての占有体積を小さくすることができる。また、この状態で、受け体５０及び蓋体６０を嵌め合わせて形成される収容空間Ｓに、収納することができる。
【００３０】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３１】
例えば、上記では、第一円筒体２０、第二円筒体３０、及び、第三円筒体４０と、三つの円筒体からなる円筒体セットを備えるバケツ１を例示したが、これに限定されず、より多数または少数の円筒体からなる円筒体セットを備えるバケツとすることができる。円筒体の数が少ない場合は、シンプルな構成のバケツとなる。一方、円筒体の数が多い場合は、より大容量のバケツとして使用することができる。
【００３２】
また、上記では、ケース７０が受け体５０と蓋体６０とからなり、それぞれの開口端で嵌合して収容空間Ｓを形成する場合を例示したが、ケースの構成はこれに限定されない。例えば、受け体と蓋体とが、ジッパーで係合する構成とすることができる。或いは、布やビニール等の可撓性の材料で、袋状のケースを形成することもできる。
【符号の説明】
【００３３】
１  バケツ
１０  有底円筒体
１１  （有底円筒体の）底部
１３  （有底円筒体の）開口端
１５  （有底円筒体の）側面
１７  第一シール材
２０  第一円筒体
２２  （第一円筒体の）下端
２３  （第一円筒体の）上端
２７  第二シール材
３０  第二円筒体
３２  （第二円筒体の）下端
３３  （第二円筒体の）上端
３７  第三シール材３７
４０  第三円筒体
４２  （第三円筒体の）下端
４３  （第三円筒体の）上端
５０  受け体
６０  蓋体
７０  ケース
【先行技術文献】
【特許文献】
【００３４】
【特許文献１】特開２００１−２４５５７１号公報
【図１】
0003165403.tif 000003
【図２】
0003165403.tif 000004
【図３】
0003165403.tif 000005
【図４】
0003165403.tif 000006